(57)【要約】      （修正有）【課題】デュアルコネクティビティにおける端末の送信電力技術を提供する。【解決手段】ユーザ機器（ＵＥ）は、第１のアップリンク制御情報（ＵＣＩ）を含む第１の物理チャネル及び第２のＵＣＩを含む第２の物理チャネルを特定する。ＵＥは、第１の物理チャネルの優先度及び第２の物理チャネルの優先度を選択する。ＵＥは、ＵＥの合計送信電力が、一の期間に特定値を超える場合に、電力スケーリングを第１の物理チャネル送信又は第２の物理チャネル送信に適用する。ＵＥは、第１のＵＣＩのタイプ及び第２のＵＣＩのタイプに応じて、第１の物理チャネルの優先度が第２の物理チャネルの優先度より高い場合に、第２の物理チャネルの送信電力をスケーリングする。【選択図】図５
2018137821.tif 000002
【特許請求の範囲】
【請求項１】
デュアルコネクティビティ用のユーザ機器（ＵＥ）であって、前記ＵＥは、
第１のアップリンク制御情報（第１のＵＣＩ）を含む第１の物理チャネルを特定し、
第２のＵＣＩを含む第２の物理チャネルを特定し、
前記第１の物理チャネルの優先度及び前記第２の物理チャネルの優先度を選択し、
前記第１のＵＣＩを含む前記第１の物理チャネルの前記優先度が前記第２のＵＣＩを含む前記第２の物理チャネルの前記優先度より高いと決定し、該決定に対して、前記第１のＵＣＩがスケジューリング要求（ＳＲ）を含み、かつ、前記第２のＵＣＩがハイブリッド自動再送要求確認（ＨＡＲＱ−ＡＣＫ）を含み、
前記ＵＥの合計送信電力が、一の期間に特定値を超え得る場合に、電力スケーリングを第１の物理チャネル送信又は第２の物理チャネル送信に適用する
１つ又は複数のプロセッサを備え、
前記ＵＥは、前記第１のＵＣＩのタイプ及び前記第２のＵＣＩのタイプに応じて、前記第１の物理チャネルの前記優先度が前記第２の物理チャネルの前記優先度より高い場合に、前記第２の物理チャネルの送信電力をスケーリングする、又は、
前記ＵＥは、前記第１のＵＣＩのタイプ及び前記第２のＵＣＩのタイプに応じて、前記第１の物理チャネルの前記優先度が前記第２の物理チャネルの前記優先度より低い場合に、前記第１の物理チャネルの送信電力をスケーリングする、ＵＥ。
【請求項２】
前記１つ又は複数のプロセッサは、さらに、マスタセルグループ（ＭＣＧ）に属するサービングセルのアップリンクにおいて前記第１の物理チャネル送信を実行するよう構成される、請求項１に記載のＵＥ。
【請求項３】
前記１つ又は複数のプロセッサは、さらに、セカンダリセルグループ（ＳＣＧ）に属するサービングセルのアップリンクにおいて前記第２の物理チャネル送信を実行するよう構成される、請求項２に記載のＵＥ。
【請求項４】
前記１つ又は複数のプロセッサは、さらに、
前記第１のＵＣＩがハイブリッド自動再送要求確認（ＨＡＲＱ−ＡＣＫ）又はスケジューリング要求（ＳＲ）を含み、かつ、前記第２のＵＣＩがチャネル状態情報（ＣＳＩ）を含む場合に、前記第１のＵＣＩを含む前記第１の物理チャネルの前記優先度が前記第２のＵＣＩを含む前記第２の物理チャネルの前記優先度より高いと決定するよう構成される、
請求項３に記載のＵＥ。
【請求項５】
前記１つ又は複数のプロセッサは、さらに、
前記第１のＵＣＩがチャネル状態情報（ＣＳＩ）を含み、かつ、前記第２のＵＣＩがハイブリッド自動再送要求確認（ＨＡＲＱ−ＡＣＫ）又はスケジューリング要求（ＳＲ）を含む場合に、前記第１のＵＣＩを含む前記第１の物理チャネルの前記優先度が前記第２のＵＣＩを含む前記第２の物理チャネルの前記優先度より低いと決定するよう構成される、
請求項３に記載のＵＥ。
【請求項６】
前記１つ又は複数のプロセッサは、さらに、
前記第１のＵＣＩを含む前記第１の物理チャネルの前記優先度が前記第２のＵＣＩを含む前記第２の物理チャネルの前記優先度より高いと決定するよう構成され、
前記第１のＵＣＩ及び前記第２のＵＣＩの両方は、ハイブリッド自動再送要求確認（ＨＡＲＱ−ＡＣＫ）を含む、又は、
前記第１のＵＣＩ及び前記第２のＵＣＩの両方は、スケジューリング要求（ＳＲ）を含む、又は、
前記第１のＵＣＩ及び前記第２のＵＣＩの両方は、チャネル状態情報（ＣＳＩ）を含む、請求項３に記載のＵＥ。
【請求項７】
前記１つ又は複数のプロセッサは、さらに、
前記第１のＵＣＩを含む前記第１の物理チャネルの前記優先度が前記第２のＵＣＩを含む前記第２の物理チャネルの前記優先度より高いと決定するよう構成され、
前記第１のＵＣＩは、ハイブリッド自動再送要求確認（ＨＡＲＱ−ＡＣＫ）を含み、前記第２のＵＣＩは、スケジューリング要求（ＳＲ）を含む、請求項１に記載のＵＥ。
【請求項８】
前記第１の物理チャネル及び前記第２の物理チャネルの前記合計送信電力が重複期間において前記特定値を超えないように、前記特定値は、最大送信電力（ＰＣＭＡＸ）とされる、請求項１から７のいずれか１項に記載のＵＥ。
【請求項９】
前記第１の物理チャネルは、第１の物理アップリンク制御チャネル（ＰＵＣＣＨ）又は第１の物理アップリンク共有チャネル（ＰＵＳＣＨ）であり、
前記第２の物理チャネルは、第２のＰＵＣＣＨ又は第２のＰＵＳＣＨである、請求項１から８のいずれか１項に記載のＵＥ。
【請求項１０】
前記ＵＥは、アンテナ、タッチセンシティブディスプレイスクリーン、スピーカ、マイクロフォン、グラフィックプロセッサ、アプリケーションプロセッサ、内部メモリ、又は不揮発性メモリポートを備える、請求項１から９のいずれか１項に記載のＵＥ。
【請求項１１】
デュアルコネクティビティ用のユーザ機器（ＵＥ）であって、
マスタセルグループ（ＭＣＧ）の物理ランダムアクセスチャネル（ＰＲＡＣＨ）を特定し、
セカンダリセルグループ（ＳＣＧ）の物理アップリンク制御チャネル（ＰＵＣＣＨ）を特定し、
前記ＰＲＡＣＨの優先度が前記ＰＵＣＣＨの優先度より高いと決定し、該決定に対して、前記ＭＣＧがスケジューリング要求（ＳＲ）を含み、かつ、前記ＳＣＧがハイブリッド自動再送要求確認（ＨＡＲＱ−ＡＣＫ）を含み、
前記ＵＥの合計送信電力が、一の期間に特定値を超え得る場合に、電力スケーリングを複数のＰＵＣＣＨ送信に適用するよう構成される
１つ又は複数のプロセッサを備える、ＵＥ。
【請求項１２】
前記１つ又は複数のプロセッサは、さらに、
前記ＭＣＧのプライマリセル（ＰＣｅｌｌ）又はセカンダリセル（ＳＣｅｌｌ）において前記ＰＲＡＣＨを送信する、又は、
前記ＳＣＧのセカンダリセルにおいて前記ＰＲＡＣＨを送信するよう構成される、
請求項１１に記載のＵＥ。
【請求項１３】
前記１つ又は複数のプロセッサは、さらに、
前記ＭＣＧのプライマリセル（ＰＣｅｌｌ）において前記ＰＵＣＣＨを送信する、又は、
前記ＳＣＧの特別セカンダリセル（ＳＣｅｌｌ）において前記ＰＵＣＣＨを送信するよう構成される、
請求項１１に記載のＵＥ。
【請求項１４】
前記ＰＲＡＣＨ及び前記ＰＵＣＣＨの前記合計送信電力が重複期間において前記特定値を超えないように、前記特定値は、最大送信電力（ＰＣＭＡＸ）とされる、請求項１１から１３のいずれか１項に記載のＵＥ。
【請求項１５】
デュアルコネクティビティ用のユーザ機器（ＵＥ）であって、
マスタセルグループ（ＭＣＧ）の物理ランダムアクセスチャネル（ＰＲＡＣＨ）を特定し、
セカンダリセルグループ（ＳＣＧ）の物理アップリンク制御チャネル（ＰＵＣＣＨ）を特定し、
前記ＰＲＡＣＨの優先度及び前記ＰＵＣＣＨの優先度を選択し、
前記ＰＲＡＣＨの優先度が前記ＰＵＣＣＨの優先度より高いと決定し、該決定に対して、前記ＭＣＧがスケジューリング要求（ＳＲ）を含み、かつ、前記ＳＣＧがハイブリッド自動再送要求確認（ＨＡＲＱ−ＡＣＫ）を含み、
前記ＰＲＡＣＨ及び前記ＰＵＣＣＨが重複期間に送信されるようスケジューリングされ、かつ、前記ＵＥの合計送信電力が特定値を超え得る場合に、前記ＰＲＡＣＨ又は前記ＰＵＣＣＨの１つをドロップするよう構成される
１つ又は複数のプロセッサを備え、
前記ＰＲＡＣＨ又は前記ＰＵＣＣＨは、前記ＰＵＣＣＨの前記優先度に対する前記ＰＲＡＣＨの前記優先度に基づいてドロップされ、残りのＰＲＡＣＨ又はＰＵＣＣＨは、前記ＵＥから送信される、ＵＥ。
【請求項１６】
前記１つ又は複数のプロセッサは、さらに、
前記ＰＲＡＣＨを前記ＭＣＧのプライマリセル（ＰＣｅｌｌ）又はセカンダリセル（ＳＣｅｌｌ）に送信する、又は、
前記ＰＵＣＣＨを前記ＳＣＧの特別セカンダリセル（ＳＣｅｌｌ）に送信するよう構成される、
請求項１５に記載のＵＥ。
【請求項１７】
前記１つ又は複数のプロセッサは、さらに、
前記ＰＲＡＣＨの前記優先度が前記ＰＵＣＣＨの前記優先度より低い場合に、前記ＰＲＡＣＨをドロップする、又は、
前記ＰＲＡＣＨの前記優先度が前記ＰＵＣＣＨの前記優先度より大きい場合に、前記ＰＵＣＣＨをドロップするよう構成される、
請求項１５に記載のＵＥ。
【請求項１８】
前記ＰＲＡＣＨ及び前記ＰＵＣＣＨの前記合計送信電力が重複期間において前記特定値を超えないように、前記特定値は、最大送信電力（ＰＣＭＡＸ）とされる、請求項１５から１７のいずれか１項に記載のＵＥ。
【請求項１９】
デュアルコネクティビティ用のユーザ機器（ＵＥ）であって、
第１のアップリンク制御情報（第１のＵＣＩ）を含む第１の物理アップリンク制御チャネル（第１のＰＵＣＣＨ）を特定し、
第２のアップリンク制御情報（第２のＵＣＩ）を含む第２の物理アップリンク制御チャネル（第２のＰＵＣＣＨ）を特定し、
前記第１のＰＵＣＣＨの優先度及び前記第２のＰＵＣＣＨの優先度を選択し、
前記第１のＵＣＩを含む前記第１のＰＵＣＣＨの前記優先度が前記第２のＵＣＩを含む前記第２のＰＵＣＣＨの前記優先度より高いと決定し、該決定に対して、前記第１のＵＣＩがスケジューリング要求（ＳＲ）を含み、かつ、前記第２のＵＣＩがハイブリッド自動再送要求確認（ＨＡＲＱ−ＡＣＫ）を含み、
前記ＵＥの合計送信電力が、一の期間に特定値を超え得る場合に、電力スケーリングを前記第１のＰＵＣＣＨ及び前記第２のＰＵＣＣＨに適用し、前記第１のＰＵＣＣＨ及び前記第２のＰＵＣＣＨが重複期間において前記ＵＥから送信されることを可能にするよう構成される
１つ又は複数のプロセッサを備え、
前記第１のＰＵＣＣＨの前記優先度が前記第２のＰＵＣＣＨの前記優先度と同じ場合に、前記第１のＰＵＣＣＨの送信電力及び前記第２のＰＵＣＣＨの送信電力は、均等にスケーリングされる、ＵＥ。
【請求項２０】
前記１つ又は複数のプロセッサは、さらに、前記第１のＰＵＣＣＨをマスタセルグループ（ＭＣＧ）のプライマリセル（ＰＣｅｌｌ）に送信するよう構成される、請求項１９に記載のＵＥ。
【請求項２１】
前記１つ又は複数のプロセッサは、さらに、前記第２のＰＵＣＣＨをセカンダリセルグループ（ＳＣＧ）の特別セカンダリセル（ＳＣｅｌｌ）に送信するよう構成される、請求項１９または２０に記載のＵＥ。
【請求項２２】
前記第１のＵＣＩ又は前記第２のＵＣＩの少なくとも１つは、ハイブリッド自動再送要求確認（ＨＡＲＱ−ＡＣＫ）又はスケジューリング要求（ＳＲ）を含む、請求項１９から２１のいずれか１項に記載のＵＥ。
【請求項２３】
前記第１のＵＣＩ又は前記第２のＵＣＩの少なくとも１つは、チャネル状態情報（ＣＳＩ）を含む、請求項１９から２２のいずれか１項に記載のＵＥ。
【請求項２４】
前記第１のＰＵＣＣＨ及び前記第２のＰＵＣＣＨの前記合計送信電力が重複期間において前記特定値を超えないように、前記特定値は、最大送信電力（ＰＣＭＡＸ）とされる、請求項１９から２３のいずれか１項に記載のＵＥ。
【発明の詳細な説明】
【技術分野】
【０００１】
無線移動通信技術は、ノード（例えば、送信局）と無線デバイス（例えば、モバイルデバイス）との間でデータを送信するために様々な規格及びプロトコルを用いる。いくつかの無線デバイスは、ダウンリンク（ＤＬ）送信において直交周波数分割多重接続（ＯＦＤＭＡ）を、アップリンク（ＵＬ）送信においてシングルキャリア周波数分割多重接続（ＳＣ−ＦＤＭＡ）を用いて通信を行う。信号送信のために直交周波数分割多重（ＯＦＤＭ）を用いる複数の規格及びプロトコルは、第３世代パートナーシッププロジェクト（３ＧＰＰ）ロングタームエボリューション（ＬＴＥ）、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として複数の業界団体に広く知られる電気電子技術者協会（ＩＥＥＥ）８０２．１６規格（例えば、８０２．１６ｅ、８０２．１６ｍ）、及びＷｉＦｉとして複数の業界団体に広く知られるＩＥＥＥ８０２．１１規格を含む。
【０００２】
３ＧＰＰ無線アクセスネットワーク（ＲＡＮ）ＬＴＥシステムにおいて、ノードは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ノードＢ（一般に、進化型ノードＢ、拡張型ノードＢ、ｅＮｏｄｅＢ、又はｅＮＢとしても表示される）と、ユーザ機器（ＵＥ）として知られる無線デバイスと通信を行う無線ネットワークコントローラ（ＲＮＣ）との組み合わせであってよい。ダウンリンク（ＤＬ）送信は、ノード（例えばｅＮｏｄｅＢ）から無線デバイス（例えばＵＥ）への通信であってよく、アップリンク（ＵＬ）送信は、無線デバイスからノードへの通信であってよい。
【図面の簡単な説明】
【０００３】
本開示の複数の特徴及び利点は、本開示の複数の特徴を例として共に示す複数の添付図面に関連して、以下の詳細な説明から明らかとなろう。
【０００４】
【図１Ａ】一例に係るデュアルコネクティビティアーキテクチャを示す。
【図１Ｂ】一例に係るデュアルコネクティビティアーキテクチャを示す。
【０００５】
【図２Ａ】一例に係るデュアルコネクティビティにおいて動作するユーザ機器（ＵＥ）からの第１の物理アップリンク制御チャネル（ＰＵＣＣＨ）及び第２のＰＵＣＣＨの並列送信を示す。
【図２Ｂ】一例に係るデュアルコネクティビティにおいて動作するユーザ機器（ＵＥ）からの第１の物理アップリンク制御チャネル（ＰＵＣＣＨ）及び第２のＰＵＣＣＨの並列送信を示す。
【図２Ｃ】一例に係るデュアルコネクティビティにおいて動作するユーザ機器（ＵＥ）からの第１の物理アップリンク制御チャネル（ＰＵＣＣＨ）及び第２のＰＵＣＣＨの並列送信を示す。
【０００６】
【図３Ａ】一例に係るデュアルコネクティビティにおいて動作するユーザ機器（ＵＥ）からの物理ランダムアクセスチャネル（ＰＲＡＣＨ）及び物理アップリンク制御チャネル（ＰＵＣＣＨ）の並列送信を示す。
【図３Ｂ】一例に係るデュアルコネクティビティにおいて動作するユーザ機器（ＵＥ）からの物理ランダムアクセスチャネル（ＰＲＡＣＨ）及び物理アップリンク制御チャネル（ＰＵＣＣＨ）の並列送信を示す。
【図３Ｃ】一例に係るデュアルコネクティビティにおいて動作するユーザ機器（ＵＥ）からの物理ランダムアクセスチャネル（ＰＲＡＣＨ）及び物理アップリンク制御チャネル（ＰＵＣＣＨ）の並列送信を示す。
【０００７】
【図４Ａ】一例に係るデュアルコネクティビティにおいて動作するユーザ機器（ＵＥ）からの物理アップリンク制御チャネル（ＰＵＣＣＨ）及び物理ランダムアクセスチャネル（ＰＲＡＣＨ）の並列送信を示す。
【図４Ｂ】一例に係るデュアルコネクティビティにおいて動作するユーザ機器（ＵＥ）からの物理アップリンク制御チャネル（ＰＵＣＣＨ）及び物理ランダムアクセスチャネル（ＰＲＡＣＨ）の並列送信を示す。
【図４Ｃ】一例に係るデュアルコネクティビティにおいて動作するユーザ機器（ＵＥ）からの物理アップリンク制御チャネル（ＰＵＣＣＨ）及び物理ランダムアクセスチャネル（ＰＲＡＣＨ）の並列送信を示す。
【０００８】
【図５】一例に係るデュアルコネクティビティ用に構成されるユーザ機器（ＵＥ）の機能性を示す。
【０００９】
【図６】一例に係るデュアルコネクティビティ用に構成されるユーザ機器（ＵＥ）の機能性を示す。
【００１０】
【図７】一例に係るデュアルコネクティビティ用に構成されるユーザ機器（ＵＥ）の機能性を示す。
【００１１】
【図８】一例に係るデュアルコネクティビティ用に構成されるユーザ機器（ＵＥ）の機能性を示す。
【００１２】
【図９】一例に係る無線デバイス（例えばＵＥ）の図を示す。
【００１３】
ここで、示された複数の例示的な実施形態への参照がなされ、本明細書においては、特定の文言を用いてこれを説明する。それでもなお、これによって本発明の範囲を限定することが意図されていないことは理解されよう。
【発明を実施するための形態】
【００１４】
本発明が開示及び説明される前に、本発明は、本明細書に開示される特定の複数の構造、処理、段階、又は材料に限定されるものではないが、当業者によって認識され得るそれらの均等物にまで拡張されることを理解されたい。本明細書で採用される用語は、特定の複数の例を説明する目的のみのために用いられ、限定することが意図されるものではないことも理解されたい。異なる図面における同じ参照番号は、同じ要素を表す。複数のフローチャート及び処理において示される番号は、複数の段階及び動作を明確に例示するために提供されるものであり、必ずしも特定の順序又はシーケンスを示すものではない。
【００１５】
［例示的な実施形態］
複数の技術的実施形態の最初の概要が以下に提供され、次に、複数の具体的な技術的実施形態が、以下、さらに詳細に説明される。この最初の概要は、読者が技術をより迅速に理解する助けとなることが意図されるものであり、技術の主な特徴又は不可欠な特徴を特定することが意図されるものではなく、特許請求の範囲に記載された主題の範囲を限定することが意図されるものでもない。
【００１６】
３ＧＰＰ  ＬＴＥリリース１２．０において、ユーザ機器（ＵＥ）は、デュアルコネクティビティシステムにおいて、１つより多くのセルサイトに同時に接続してよい。例えば、ＵＥは、マスタ進化型ノードＢ（ＭｅＮＢ）及び少なくとも１つのセカンダリ進化型ノードＢ（ＳｅＮＢ）に同時に接続してよい。ＵＥが２つのセルに接続する場合、ＵＥは、両方のセルから実質的に同時に、複数のデータベアラを受信してよい。デュアルコネクティビティは、セルエッジスループット、平均セクタスループット、及び複数のセルの間における負荷バランスを向上させることができる。
【００１７】
デュアルコネクティビティ用に構成されるユーザ機器（ＵＥ）において、アップリンクチャネル送信を実行するための技術が説明される。ＵＥは、ＵＥが電力制限される場合でさえ、同じサブフレームにおいて複数のチャネルを送信してよい。換言すると、ＵＥは、ＵＥにおける電力の制限を順守しつつ、同じサブフレームにおいて複数のチャネルを送信してよい。一例において、ＵＥは、マスタセルグループ（ＭＣＧ）のプライマリセル（ＰＣｅｌｌ）に対して第１の物理アップリンク制御チャネル（ＰＵＣＣＨ）を、セカンダリセルグループ（ＳＣＧ）の特別セルに対して第２のＰＵＣＣＨを、同じサブフレームにおいて送信してよい。他の例において、ＵＥは、ＭＣＧのＰＣｅｌｌ又はセカンダリセル（ＳＣｅｌｌ）に対して物理ランダムアクセスチャネル（ＰＲＡＣＨ）を、ＳＣＧの特別セルに対してＰＵＣＣＨを、同じサブフレームにおいて送信してよい。さらに他の例において、ＵＥは、ＭＣＧのＰＣｅｌｌに対してＰＵＣＣＨを、ＳＣＧの特別セル及び／又はＳＣｅｌｌに対してＰＲＡＣＨを、同じサブフレームにおいて送信してよい。同じサブフレームにおいて様々なチャネルを送信するために必要とされる合計送信電力が最大送信電力（Ｐｃｍａｘ）を超え得る場合に、合計送信電力があらゆる重複部分において最大送信電力Ｐｃｍａｘより小さくなるように、ＵＥは、複数のチャネルの１つ又は複数に関連する送信電力をスケールダウン又は減少させてよい。
【００１８】
１つの構成において、ＵＥは、最大送信電力を順守すべく、優先度スキームに基づいて、送信電力をスケールダウン又は減少させてよい。複数のチャネル（例えば、２つのＰＵＣＣＨ）が優先度スキームに従って、等しい優先度を有する場合に、複数のチャネルの各々に対する送信電力は、均等にスケールダウンされてよい（すなわち、均等な電力スケーリングが各チャネルにおいて実行される）。他の例において、複数のチャネルは、優先度スキームに従って、不均等な優先度を有してよい。この場合、より低い優先度のチャネルに対する送信電力はスケールダウンされてよく、より高い優先度のチャネルに対する送信電力は、変更されないままであってよい（すなわち、不均等な又は異なる重みづけをされた電力スケーリングが、各チャネルにおいて実行される）。さらに他の例において、優先度スキームに従って、他の並列なチャネルと比較してより低い優先度を有するチャネルは、共にドロップされてよい。この場合、より低い優先度のチャネルは、ＵＥから送信されない。
【００１９】
デュアルコネクティビティにおいて、複数のチャネルは、ＵＥから実質的に同時に送信されてよい。例えば、複数のチャネルは、同じサブフレームにおいて、又は同じサブフレームの時間の一部分において、送信されてよい。ＵＥは、デュアルコネクティビティの状況において、複数の物理アップリンク制御チャネル（ＰＵＣＣＨ）送信を同時に実行してよい。ＰＵＣＣＨは、ＰＵＣＣＨと、アップリンク制御情報（ＵＣＩ）を有する物理アップリンク共有チャネル（ＰＵＳＣＨ）とを指してよい。一例において、ＵＥは、第１のＰＵＣＣＨをマスタセルグループ（ＭＣＧ）のプライマリセル（ＰＣｅｌｌ）に、第２のＰＵＣＣＨをセカンダリセルグループ（ＳＣＧ）の特別セカンダリセル（ＳＣｅｌｌ）に、同じサブフレームにおいて又は時間の一部分において送信してよい。換言すると、第１のＰＵＣＣＨ及び第２のＰＵＣＣＨは、ＵＥから同時に送信されてよい（すなわち、両方のＰＵＣＣＨが同じサブフレームにおいて送信される）。他の例において、ＵＥは、物理ランダムアクセスチャネル（ＰＲＡＣＨ）をＭＣＧのＰＣｅｌｌ及び／又はＳＣｅｌｌに、ＰＵＣＣＨを特別ＳＣｅｌｌに、同じサブフレームにおいて送信してよい。換言すると、ＰＲＡＣＨ及びＰＵＣＣＨは、ＵＥから同時に送信されてよい。２つの異なるセルの間で、ＵＥからの同時送信が、実質的に全てのシングルキャリア周波数分割多重接続（ＳＣ−ＦＤＭＡ）又はサブフレーム内の期間のいくつかの部分において、生じることがある。
【００２０】
デュアルコネクティビティにおけるＵＥからの複数の並列送信は、ＵＥが電力制限されない場合（すなわち、ＵＥが電力の制約を受けていない場合）に実現可能であるが、並列送信は、ＵＥが電力制限される場合に問題となることがある。換言すると、複数の並列送信は、ＵＥが利用可能な送信電力量を制限される場合には、常に実現可能とはならないことがある。一例において、両方のチャネルを同じサブフレームにおいてＵＥから送信するために必要とされる電力量は（２つのチャネルを連続するサブフレームにおいて送信する場合に対して）、規定された閾値を超えることがある。従って、以下説明される本技術は、ＵＥがデュアルコネクティビティにおいて動作し、かつ電力制限される場合に、ＵＥに実装されるべき複数のルールのセットを規定する。これらのルールは、所与のＵＥ用に設定される最大送信電力を超えることなく、複数のチャネルを同じサブフレームにおいて送信するための技術を記述する。３ＧＰＰ技術仕様書（ＴＳ）３６．２１３セクション５．１は、各サービングセルに適用可能な複数のレガシ電力制御ルールにおける詳細を提供する。複数のレガシ電力制御ルールは、本技術において説明される複数のルールの規定セットがＵＥに実装される前に、ＵＥに適用されてよい。
【００２１】
１つの構成において、デュアルコネクティビティ用に構成されるユーザ機器（ＵＥ）は、第１のアップリンク制御情報（ＵＣＩ）を含む第１の物理チャネル及び第２のＵＣＩを含む第２の物理チャネルを特定してよい。ＵＥは、ＵＥの合計送信電力が最大送信電力（ＰＣＭＡＸ）のような規定された電力値を超え得る場合に、第１の物理チャネル送信又は第２の物理チャネル送信のいずれかに電力スケーリングを適用してよい。ＵＥは、第１のＵＣＩのタイプ及び第２のＵＣＩのタイプに基づいて、第１の物理チャネルの優先度が第２の物理チャネルの優先度より高い場合に、第２の物理チャネルの送信電力をスケールダウンしてよい。代わりに、ＵＥは、第１のＵＣＩのタイプ及び第２のＵＣＩのタイプに応じて、第１の物理チャネルの優先度が第２の物理チャネルの優先度より低い場合に、第１の物理チャネルの送信電力をスケールダウンしてよい。換言すると、２つのチャネルが異なる優先度を有し、ＵＥが電力制限される場合に、より優先度の低いチャネルのみが、規定された電力値の超過を防止すべく、スケールダウンされてよい。さらに、第１の物理チャネルは、物理アップリンク制御チャネル（ＰＵＣＣＨ）又は第１の物理アップリンク共有チャネル（ＰＵＳＣＨ）を含んでよく、第２の物理チャネルは、ＰＵＣＣＨ又はＰＵＳＣＨを含んでよい。
【００２２】
一例において、ＵＥは、マスタセルグループ（ＭＣＧ）に属するサービングセルのアップリンクにおいて第１の物理チャネル送信を、セカンダリセルグループ（ＳＣＧ）に属するサービングセルのアップリンクにおいて第２の物理チャネル送信を実行してよい。
【００２３】
１つの構成において、第１のＵＣＩがハイブリッド自動再送要求確認（ＨＡＲＱ−ＡＣＫ）又はスケジューリング要求（ＳＲ）を含み、第２のＵＣＩがチャネル状態情報（ＣＳＩ）を含む場合に、ＭＣＧに対する第１の物理チャネルは、ＳＣＧに対する第２の物理チャネルより高い優先度を有してよい。他の構成において、第１のＵＣＩがＣＳＩを含み、第２のＵＣＩがＨＡＲＱ−ＡＣＫ又はＳＲを含む場合に、ＭＣＧに対する第１の物理チャネルは、ＳＣＧに対する第２の物理チャネルより低い優先度を有してよい。
【００２４】
一例において、第１のＵＣＩ及び第２のＵＣＩは、両方ともＨＡＲＱ−ＡＣＫを含んでよく、第１のＵＣＩ及び第２のＵＣＩは、両方ともＳＲを含んでよく、あるいは第１のＵＣＩ及び第２のＵＣＩは、両方ともＣＳＩを含んでよい。これらの状況の各々において、ＭＣＧは、より高い優先度を有する。換言すると、ＭＣＧに対する第１のＵＣＩを含む第１の物理チャネルは、ＳＣＧに対する第２のＵＣＩを含む第２の物理チャネルより高い優先度を有してよい。
【００２５】
一例において、第１のＵＣＩは、ＨＡＲＱ−ＡＣＫを含んでよく、第２のＵＣＩは、ＳＲを含んでよい。代わりに、第１のＵＣＩは、ＳＲを含んでよく、第２のＵＣＩは、ＨＡＲＱ−ＡＣＫを含んでよい。いずれかの状況において、第１の物理チャネルは、第２の物理チャネルより高い優先度を有してよい。
【００２６】
１つの構成において、デュアルコネクティビティ用に構成されるＵＥは、ＭＣＧ又はＳＣＧの物理ランダムアクセスチャネル（ＰＲＡＣＨ）を特定してよい。ＵＥは、ＳＣＧ又はＭＣＧのＰＵＣＣＨを特定してよい。ＵＥは、ＰＲＡＣＨの優先度がＰＵＣＣＨの優先度オーダより高いことを決定してよい。従って、ＵＥの合計送信電力が最大送信電力（ＰＣＭＡＸ）のような規定された電力値を超えないように、ＵＥは、電力スケーリングを複数のＰＵＣＣＨ送信に適用してよい。一例において、ＰＲＡＣＨは、ＰＲＡＣＨ及びＰＵＣＣＨが両方ともＵＥから送信されるべき場合に、ＰＵＣＣＨより高い優先度を与えられてよい。ＰＵＣＣＨはスケールダウンされ得るが、ＰＲＡＣＨはスケールダウンされなくてよい。ＰＲＡＣＨは、ＰＲＡＣＨがＭＣＧに対するか又はＳＣＧに対するかに関係なく、より高い優先度を与えられてよい。
【００２７】
図１Ａは、マスタ進化型ノードＢ（ＭｅＮＢ）及びセカンダリ進化型ノードＢ（ＳｅＮＢ）の例示的なデュアルコネクティビティアーキテクチャを示す。Ｓ１−Ｕは、ＳｅＮＢにおいて終了してよく、ＳｅＮＢ及びＭｅＮＢの両方は、独立したパケットデータ収束プロトコル（ＰＤＣＰ）を含んでよく、すなわち、ベアラ分割をしない。ＭｅＮＢ及びＳｅＮＢは、Ｓ１インタフェースを介して進化型パケットコア（ＥＰＣ）に接続されてよい。例えば、ＭｅＮＢ及びＳｅＮＢは、Ｓ１インタフェースを介してサービングゲートウェイ（Ｓ−ＧＷ）又はモビリティ管理エンティティ（ＭＭＥ）に接続されてよい。ＭｅＮＢは、ＰＤＣＰ層、無線リンク制御（ＲＬＣ）層及びメディアアクセスチャネル（ＭＡＣ）層を含んでよい。さらに、ＳｅＮＢは、別個のＰＤＣＰ層、ＲＬＣ層、及びＭＡＣ層を含んでよい。ＭｅＮＢのＰＤＣＰ層は、上位層からデータ又は制御情報を受信してよく、ＳｅＮＢのＰＤＣＰ層は、上位層からデータ又は制御情報を受信してよい。
【００２８】
図１Ｂは、マスタ進化型ノードＢ（ＭｅＮＢ）及びセカンダリ進化型ノードＢ（ＳｅＮＢ）の他の例示的なデュアルコネクティビティアーキテクチャを示す。Ｓ１−Ｕは、ＭｅＮＢにおいて終了してよく、ベアラ分割は、ＭｅＮＢにおいて生じてよい。さらに、独立した無線リンク制御（ＲＬＣ）がＳｅＮＢに存在してよい。ＭｅＮＢは、Ｓ１インタフェースを介して進化型パケットコア（ＥＰＣ）に接続されてよい。例えば、ＭｅＮＢは、Ｓ１インタフェースを介してサービングゲートウェイ（Ｓ−ＧＷ）又はモビリティ管理エンティティ（ＭＭＥ）に接続されてよい。ＭｅＮＢは、ＰＤＣＰ層、ＲＬＣ層及びメディアアクセスチャネル（ＭＡＣ）層を含んでよい。ＳｅＮＢは、ＲＬＣ層及びＭＡＣ層を含んでよい。ＭｅＮＢのＰＤＣＰ層は、上位層からデータ及び／又は制御情報を受信してよい。一例において、データ又は制御情報は、ＭｅＮＢのＰＤＣＰ層からＭｅＮＢのＲＬＣ及びＭＡＣ層に伝送されてよい。さらに、データ又は制御情報は、ＭｅＮＢのＰＤＣＰ層からＳｅＮＢのＲＬＣ層に、Ｘ２インタフェースを介して伝送されてよい。
【００２９】
デュアルコネクティビティにおいて、ＵＥは、無線リソース制御（ＲＲＣ）接続モードで動作する場合には、複数の受信機（Ｒｘ）及び送信機（Ｔｘ）を用いてよい。ＵＥは、ＭｅＮＢ及びＳｅＮＢに配置される２つの異なるスケジューラによって提供される複数の無線リソースを用いるように構成されてよい。デュアルコネクティビティは、様々な関数及び手続きを導入し、上述された複数のアーキテクチャをサポートする制御プレーン及びユーザプレーンプロトコルを実現する。一例において、マスタセルグループ（ＭＣＧ）は、ＭｅＮＢに関連する複数のサービングセルのグループを指してよく、セカンダリセルグループ（ＳＣＧ）は、ＳｅＮＢに関連する複数のサービングセルのグループを指してよい。
【００３０】
図２Ａは、デュアルコネクティビティにおいて動作するユーザ機器（ＵＥ）２１０からの第１の物理アップリンク制御チャネル（ＰＵＣＣＨ）２１２及び第２のＰＵＣＣＨ２１４の並列送信を示す。ＵＥ２１０は、第１のＰＵＣＣＨ２１２をマスタセルグループ（ＭＣＧ）のプライマリセル（ＰＣｅｌｌ）２２０に送信してよい。ＵＥ２１０は、第２のＰＵＣＣＨ２１４をセカンダリセルグループ（ＳＣＧ）の特別セル２３０に送信してよい。特別セル２３０は、ＳＣＧの複数のセルのグループから選択されてよい。一例において、ＵＥ２１０は、第１のＰＵＣＣＨ２１２及び第２のＰＵＣＣＨ２１４の両方をＰＣｅｌｌ２２０及び特別セル２３０のそれぞれに、同じサブフレームにおいて送信してよい。
【００３１】
一例において、第１のＰＵＣＣＨ２１２及び第２のＰＵＣＣＨ２１４の両方を同じサブフレームにおいて送信するための合計送信電力は、所与のＵＥ用に設定される最大送信電力（Ｐｃｍａｘ）より大きくてよい。最大送信電力は、ＵＥ２１０が所与のサブフレームにおいて利用可能な電力量における制限を規定してよい。ＵＥ２１０が複数のチャネルを同じサブフレームにおいて送信する場合に、ＵＥ２１０は、合計送信電力を最大送信電力より小さくなるように低減してよい。ＵＥ２１０は、電力スケーリングを実行することによって、合計送信電力を低減してよい。換言すると、第１のＰＵＣＣＨ２１２及び第２のＰＵＣＣＨ２１４の両方を送信するための合計送信電力が最大送信電力より小さくなるように、ＵＥ２１０は、電力スケーリングを用いて、第１のＰＵＣＣＨ２１２及び／又は第２のＰＵＣＣＨ２１４の送信に関連する送信電力を減少させてよい。
【００３２】
１つの構成において、ＵＥ２１０は、第１のＰＵＣＣＨ２１２及び第２のＰＵＣＣＨ２１４に対する均等な電力スケーリングを実装してよい。換言すると、複数のＰＵＣＣＨは、等しい優先度を有し、従って、均等にスケールダウンされ、次に同じサブフレームにおいて送信される。第１のＰＵＣＣＨ２１２及び第２のＰＵＣＣＨ２１４は、ＵＥ２１０において実装される優先度スキームに従って、等しい優先度を有してよい。非限定的な例として、ＵＥ２１０は、第１のＰＵＣＣＨ２１２の送信電力を１０％減少させてよい。さらに、ＵＥ２１０は、第２のＰＵＣＣＨ２１４の送信電力を１０％減少させてよい。２つのＰＵＣＣＨの均等な電力スケーリングの結果、合計送信電力が最大送信電力（Ｐｃｍａｘ）より小さくなった場合に、ＵＥ２１０は、第１のＰＵＣＣＨ２１２及び第２のＰＵＣＣＨ２１４の両方を（各々、送信電力を１０％減少させて）同じサブフレームにおいて送信してよい。他の例において、第１のＰＵＣＣＨ２１２及び第２のＰＵＣＣＨ２１４の各々は、元の値の８０％にスケールダウンされてよいが、スケーリング後の各ＰＵＣＣＨに対する最終的な電力は、互いに対して異なってよい。本構成において、第１のＰＵＣＣＨ２１２及び第２のＰＵＣＣＨ２１４の両方は、ＵＥ２１０において実装される優先度スキームに基づいて、同じ優先度を有するものとみなされる。電力スケーリングは、複数のＰＵＣＣＨを含む複数のサブフレームに、又は複数のサブフレームにおける重複部分（例えば、重複する記号）のみに適用されてよい。従って、ＵＥ２１０が電力制限される場合でさえ、ＵＥ２１０は、電力スケーリングを用いることによって、２つのＰＵＣＣＨを同時に（すなわち、同じサブフレームにおいて）送信してよい。
【００３３】
図２Ｂは、デュアルコネクティビティにおいて動作するユーザ機器（ＵＥ）２１０からの第１の物理アップリンク制御チャネル（ＰＵＣＣＨ）２１２及び第２のＰＵＣＣＨ２１４の並列送信を示す。第１のＰＵＣＣＨ２１２は、ＰＣｅｌｌ２２０に送信されてよく、第２のＰＵＣＣＨ２１４は、特別セル２２０に送信されてよい。ＵＥ２１０は、第１のＰＵＣＣＨ２１２及び第２のＰＵＣＣＨ２１４に対する不均等な電力スケーリングを実装してよい。換言すると、複数のＰＵＣＣＨは、不均等な優先度を有し、従って、不均等にスケールダウンされ、次に、同じサブフレームにおいて送信される。本構成において、異なる重みで重みづけされた電力スケーリング技術は、ＵＥ２１０から送信される様々なＰＵＣＣＨに適用されてよい。第１のＰＵＣＣＨ２１２及び第２のＰＵＣＣＨ２１４の両方を同じサブフレームにおいて同時に送信するための合計送信電力が、所与のサブフレームに対して、ＵＥ２１０に許容される最大送信電力（Ｐｃｍａｘ）より小さくなるように、ＵＥ２１０は、不均等な電力スケーリングを適用してよい。
【００３４】
１つの構成において、第１のＰＵＣＣＨ２１２が第２のＰＵＣＣＨ２１４と比較してより高い優先度を有する場合に、第１のＰＵＣＣＨ２１２及び第２のＰＵＣＣＨ２１４の両方を送信するための合計送信電力が最大送信電力（Ｐｃｍａｘ）より小さくなるように、第１のＰＵＣＣＨ２１２はスケールダウンされないが、第２のＰＵＣＣＨ２１４はスケールダウンされてよい。同様に、第２のＰＵＣＣＨ２１４が第１のＰＵＣＣＨ２１２と比較してより高い優先度を有する場合に、第１のＰＵＣＣＨ２１２及び第２のＰＵＣＣＨ２１４の両方を送信するための合計送信電力が最大送信電力（Ｐｃｍａｘ）より小さくなるように、第２のＰＵＣＣＨ２１４はスケールダウンされないが、第１のＰＵＣＣＨ２１２はスケールダウンされてよい。
【００３５】
第１のＰＵＣＣＨ２１２及び第２のＰＵＣＣＨ２１４は、ＵＥ２１０において実装される優先度スキームに従って、不均等な優先度を有してよい。非限定的な例として、ＵＥ２１０は、第１のＰＵＣＣＨ２１２の送信電力を１５％減少させ、第２のＰＵＣＣＨ２１４の送信電力は減少させなくてよい。２つのＰＵＣＣＨの不均等な電力スケーリングの結果、合計送信電力が最大送信電力（Ｐｃｍａｘ）より小さくなった場合に、ＵＥ２１０は、第１のＰＵＣＣＨ２１２及び第２のＰＵＣＣＨ２１４の両方を同じサブフレームにおいて送信してよい。本構成において、第１のＰＵＣＣＨ２１２及び第２のＰＵＣＣＨ２１４は、ＵＥ２１０において実装される優先度スキームに基づいて、同じ優先度を有さないものとみなされる。第１のＰＵＣＣＨ２１２の送信電力は１５％減少し、第２のＰＵＣＣＨ２１４の送信電力は減少しないので、第１のＰＵＣＣＨ２１２は、第２のＰＵＣＣＨ２１４より高い優先度を有する。換言すると、より高い優先度は、送信電力の減少をもたらさない。電力スケーリングは、複数のＰＵＣＣＨを含む複数のサブフレームに、又は複数のサブフレームにおける重複部分（例えば、重複する記号）のみに適用されてよい。従って、ＵＥ２１０が電力制限される場合でさえ、ＵＥ２１０は、電力スケーリングを用いることによって、２つのＰＵＣＣＨを同時に（すなわち、同じサブフレームにおいて）送信してよい。
【００３６】
上述されたように、異なる重みづけをされた電力スケーリングは、ＵＥ２１０から送信される複数の異なるＰＵＣＣＨに適用されてよい。一例において、スケジューリング要求（ＳＲ）又はハイブリッド自動再送要求確認（ＨＡＲＱ−ＡＣＫ）を含む第１のＰＵＣＣＨ２１２は、チャネル状態情報（ＣＳＩ）を含む第２のＰＵＣＣＨ２１４より高い優先度を有してよい。本例において、ＣＳＩを含む第２のＰＵＣＣＨ２１４の送信電力はスケールダウンされてよく、一方で、ＳＲ又はＨＡＲＱ−ＡＣＫを含む第１のＰＵＣＣＨ２１２の送信電力は、スケールダウンされなくてよい。
【００３７】
一例において、複数のチャネルの各々の複数の優先度は、セルインデックスに基づいて決定されてよい。各サービングセルの優先度は、無線リソース制御（ＲＲＣ）シグナリングによって構成されてよい。より低い値のセルインデックスは、より高い値のセルインデックスより優先されてよい。非限定的な例として、ＭＣＧの第１のＰＵＣＣＨ２１２に対するセルインデックスが０であり、ＳＣＧの第２のＰＵＣＣＨ２１４に対するセルインデックスが２である場合に、ＭＣＧの第１のＰＵＣＣＨ２１２は、ＳＣＧの第２のＰＵＣＣＨ２１４より優先される。従って、第２のＰＵＣＣＨ２１４の送信電力はスケールダウンされてよく、一方で、第１のＰＵＣＣＨ２１２の送信電力は、スケールダウンされなくてよい。
【００３８】
一例において、複数のチャネルの各々の複数の優先度は、セルグループに基づいて決定されてよい。シグナリング無線ベアラ（ＳＲＢ）は、デュアルコネクティビティにおいて、ＭＣＧを介して送信されるので、ＭＣＧの第１のＰＵＣＣＨ２１２は、ＳＣＧの第２のＰＵＣＣＨ２１４より優先されてよい。他の例において、複数のチャネルの各々の複数の優先度は、各サービングセル又はセルグループに対して、物理ダウンリンク共有チャネル（ＰＤＳＣＨ）のサービス品質（ＱｏＳ）に基づいて決定されてよい。さらに他の例において、複数のチャネルの各々の複数の優先度は、ボイスオーバーインターネットプロトコル（ＶｏＩＰ）又は半永続スケジューリング（ＳＰＳ）のようなＰＤＳＣＨのサービスタイプに基づいて決定されてよい。
【００３９】
図２Ｃは、デュアルコネクティビティにおいて動作するユーザ機器（ＵＥ）２１０からの第１の物理アップリンク制御チャネル（ＰＵＣＣＨ）２１２又は第２のＰＵＣＣＨ２１４のいずれかの送信を示す。第１のＰＵＣＣＨ２１２は、ＰＣｅｌｌ２２０に送信されてよく、又は、第２のＰＵＣＣＨ２１４は、特別セル２３０に送信されてよい。複数のＰＵＣＣＨは、不均等な優先度を有してよく、より低い優先度のＰＵＣＣＨはドロップされてよく、より高い優先度のＰＵＣＣＨは、ＵＥ２１０から送信されてよい。複数のチャネルの各々の複数の優先度は、ＵＥ２１０において実装される優先度スキームに基づいて決定されてよい。図２Ｃに示される例において、第１のＰＵＣＣＨ２１２は、優先度スキームに基づいて、第２のＰＵＣＣＨ２１４より低い優先度を有してよい。従って、第１のＰＵＣＣＨ２１２はドロップされてよく、第２のＰＵＣＣＨ２１４のみが特別セル２３０に送信されてよい。従って、ＵＥ２１０が電力制限される場合、ＵＥ２１０は、より低い優先度のチャネルをドロップすることによって、チャネルの送信が所与のサブフレームの最大送信電力を順守することを保証してよい。
【００４０】
１つの構成において、複数のレガシ電力制御ルールは、３ＧＰＰ  ＴＳ３６．２１３セクション５．１においてさらに規定されるように、適用されてよい。複数のレガシ電力制御ルールが適用された後、合計送信電力は、所与のサブフレームの重複部分において、最大送信電力（Ｐｃｍａｘ）を超えないように調整されてよい。本技術は、物理アップリンク共有チャネル（ＰＵＳＣＨ）、物理アップリンク制御チャネル（ＰＵＣＣＨ）、サウンディング参照信号（ＳＲＳ）、物理ランダムアクセスチャネル（ＰＲＡＣＨ）等のような他の物理チャネルの複数の組み合わせにも適用可能であってよい。本構成において、複数のレガシ電力制御ルールは、各セルグループに適用されてよく、合計送信電力は、あらゆる重複部分においてＰｃｍａｘを超えないように調整される。ＳＣＧ内の複数のセルに対して、複数のレガシ電力制御ルールは、プライマリセルを特別ＳＣｅｌｌに置換することによって適用されてよい。
【００４１】
本構成は、同じ優先度を有する複数のＰＵＣＣＨに適用されてよい。例えば、ＭＣＧの第１のＰＵＣＣＨ２１２がＨＡＲＱ−ＡＣＫ又はＳＲを搬送し、ＳＣＧの第２のＰＵＣＣＨ２１４がＣＳＩを搬送する（すなわち、異なる優先度で搬送される）場合に、ＳＣＧの第２のＰＵＣＣＨ２１４はドロップされ、ＭＣＧの第１のＰＵＣＣＨ２１２が送信される。その後でＵＥ２１０は、あらゆる重複部分においてＰｃｍａｘを超えないように、合計送信電力を調整してよい。ＭＣＧ及びＳＣＧのＰＵＣＣＨが複数のＣＳＩを搬送する（すなわち、同じ優先度で搬送される）場合に、ＵＥ２１０は、あらゆる重複部分においてＰｃｍａｘを超えないように、合計送信電力を調整するだけでよい。
【００４２】
図３Ａは、デュアルコネクティビティにおいて動作するユーザ機器（ＵＥ）３１０からの物理ランダムアクセスチャネル（ＰＲＡＣＨ）３１２及び物理アップリンク制御チャネル（ＰＵＣＣＨ）３１４の並列送信を示す。ＵＥ３１０は、ＰＲＡＣＨ３１２をマスタセルグループ（ＭＣＧ）のプライマリセル（ＰＣｅｌｌ）又はセカンダリセル（ＳＣｅｌｌ）３２０に送信してよい。ＵＥ３１０は、ＰＵＣＣＨ３１４をセカンダリセルグループ（ＳＣＧ）の特別セル３３０に送信してよい。特別セル３３０は、ＳＣＧの複数のセルのグループから選択されてよい。一例において、ＵＥ３１０は、ＰＲＡＣＨ３１２及びＰＵＣＣＨ３１４の両方を、同じサブフレームにおいて、それぞれＰＣｅｌｌ又はＳＣｅｌｌ３２０及び特別セル３３０に送信してよい。
【００４３】
一例において、ＰＲＡＣＨ３１２及びＰＵＣＣＨ３１４の両方を同じサブフレームにおいて送信するための合計送信電力は、最大送信電力（Ｐｃｍａｘ）より大きくてよい。最大送信電力は、ＵＥ３１０が所与のサブフレームにおいて利用可能な電力量における制限を規定してよい。ＵＥ３１０が同じサブフレームにおいて複数のチャネルを送信する場合、ＵＥ３１０は、合計送信電力を最大送信電力より小さくなるように低減してよい。ＵＥ３１０は、電力スケーリングを実行することによって、合計送信電力を低減してよい。換言すると、ＰＲＡＣＨ３１２及びＰＵＣＣＨ３１４の両方を送信するための合計送信電力が最大送信電力より小さくなるように、ＵＥ３１０は、電力スケーリングを用いて、ＰＲＡＣＨ３１２又はＰＵＣＣＨ３１４の送信に関連する送信電力を減少させてよい。
【００４４】
１つの構成において、ＵＥ３１０は、ＰＲＡＣＨ３１２及びＰＵＣＣＨ３１４に対する均等な電力スケーリングを実装してよい。換言すると、複数のチャネルは等しい優先度を有し、従って、均等にスケールダウンされ、次に同じサブフレームにおいて送信される。ＰＲＡＣＨ３１２及びＰＵＣＣＨ３１４は、ＵＥ３１０において実装される優先度スキームに従って、等しい優先度を有してよい。非限定的な例として、ＵＥ３１０は、ＰＲＡＣＨ３１２の送信電力を２０％減少させてよい。さらに、ＵＥ３１０は、ＰＵＣＣＨ３１４の送信電力を２０％減少させてよい。ＰＲＡＣＨ及びＰＵＣＣＨの均等な電力スケーリングの結果、合計送信電力が最大送信電力（Ｐｃｍａｘ）より小さくなった場合に、ＵＥ３１０は、ＰＲＡＣＨ３１２及びＰＵＣＣＨ３１４の両方を（各々、送信電力を２０％減少させて）同じサブフレームにおいて送信してよい。本構成において、ＰＲＡＣＨ３１２及びＰＵＣＣＨ３１４の両方は、ＵＥ３１０において実装される優先度スキームに基づいて、同じ優先度を有するものとみなされる。電力スケーリングは、ＰＲＡＣＨ及びＰＵＣＣＨを含む複数のサブフレームに、又は複数のサブフレームにおける重複部分（例えば、重複する記号）のみに適用されてよい。従って、ＵＥ３１０が電力制限される場合でさえ、ＵＥ３１０は、電力スケーリングを用いることによって、ＰＲＡＣＨ及びＰＵＣＣＨを同時に（すなわち、同じサブフレームにおいて）送信してよい。
【００４５】
図３Ｂは、デュアルコネクティビティにおいて動作するユーザ機器（ＵＥ）３１０からの物理ランダムアクセスチャネル（ＰＲＡＣＨ）３１２及び物理アップリンク制御チャネル（ＰＵＣＣＨ）３１４の並列送信を示す。ＰＲＡＣＨ３１２は、ＰＣｅｌｌ又はＳＣｅｌｌ３２０に送信されてよく、ＰＵＣＣＨ３１４は、特別セル３３０に送信されてよい。ＵＥ３１０は、ＰＲＡＣＨ３１２及びＰＵＣＣＨ３１４に対する不均等な電力スケーリングを実装してよい。換言すると、複数のチャネルは不均等な優先度を有し、従って、不均等にスケールダウンされ、次に同じサブフレームにおいて送信される。本構成において異なる重みで重みづけされた電力スケーリング技術は、ＵＥ３１０から送信される様々なチャネルに適用されてよい。ＰＲＡＣＨ３１２及びＰＵＣＣＨ３１４の両方を同じサブフレームにおいて同時に送信するための合計送信電力が、所与のサブフレームに対して、ＵＥ３１０に許容される最大送信電力（Ｐｃｍａｘ）より小さくなるように、ＵＥ３１０は、不均等な電力スケーリングを適用してよい。
【００４６】
１つの構成において、ＰＲＡＣＨ３１２は、ＰＵＣＣＨ３１４と比較してより高い優先度を有する。従って、ＰＲＡＣＨ３１２及びＰＵＣＣＨ３１４の両方を送信するための合計送信電力が最大送信電力（Ｐｃｍａｘ）より小さくなるように、ＰＲＡＣＨ３１２はスケールダウンされないが、ＰＵＣＣＨ３１４はスケールダウンされてよい。
【００４７】
ＰＲＡＣＨ３１２及びＰＵＣＣＨ３１４は、ＵＥ３１０において実装される優先度スキームに従って、不均等な優先度を有してよい。非限定的な例として、ＵＥ３１０は、ＰＵＣＣＨ３１４の送信電力を２５％減少させてよく、一方で、ＵＥ３１０は、ＰＲＡＣＨ３１２の送信電力を減少させない。２つのチャネルの不均等な電力スケーリングの結果、合計送信電力が最大送信電力（Ｐｃｍａｘ）より小さくなった場合に、ＵＥ３１０は、ＰＲＡＣＨ３１２及びＰＵＣＣＨ３１４の両方を同じサブフレームにおいて送信してよい。本構成において、ＰＲＡＣＨ３１２及びＰＵＣＣＨ３１４は、ＵＥ３１０において実装される優先度スキームに基づいて、同じ優先度を有さないものとみなされる。ＰＲＡＣＨ３１２の送信電力は減少せず、ＰＵＣＣＨ３１４の送信電力は２５％減少するので、ＰＲＡＣＨ３１２は、ＰＵＣＣＨ３１４より高い優先度を有する。換言すると、より低い優先度は、送信電力の減少に相当する。電力スケーリングは、複数のチャネルを含む複数のサブフレームに、又は複数のサブフレームにおける重複部分（例えば、重複する記号）のみに適用されてよい。従って、ＵＥ３１０が電力制限される場合でさえ、ＵＥ３１０は、電力スケーリングを用いることによって、２つのチャネルを同時に（すなわち、同じサブフレームにおいて）送信してよい。
【００４８】
上述されたように、異なる重みづけをされた電力スケーリングは、ＵＥ３１０から送信される異なる複数のチャネルに適用されてよい。一例において、スケジューリング要求（ＳＲＳ）又はハイブリッド自動再送要求確認（ＨＡＲＱ−ＡＣＫ）を含むＰＲＡＣＨ３１２は、チャネル状態情報（ＣＳＩ）を含むＰＵＣＣＨ３１４より高い優先度を有してよい。本例において、ＣＳＩを含むＰＵＣＣＨ３１４の送信電力はスケールダウンされてよく、一方で、ＳＲ又はＨＡＲＱ−ＡＣＫを含むＰＲＡＣＨ３１２の送信電力は、スケールダウンされなくてよい。
【００４９】
一例において、複数のチャネルの各々の複数の優先度は、セルインデックスに基づいて決定されてよい。各サービングセルの優先度は、無線リソース制御（ＲＲＣ）シグナリングによって構成されてよい。より低い値のセルインデックスは、より高い値のセルインデックスより優先されてよい。非限定的な例として、ＭＣＧのＰＲＡＣＨ３１２に対するセルインデックスが１であり、ＳＣＧのＰＵＣＣＨ３１４に対するセルインデックスが３である場合に、ＭＣＧのＰＲＡＣＨ３１２は、ＳＣＧのＰＵＣＣＨ３１４より優先される。従って、ＰＵＣＣＨ３１４の送信電力はスケールダウンされてよく、一方で、ＰＲＡＣＨ３１２の送信電力はスケールダウンされない。
【００５０】
一例において、複数のチャネルの各々の複数の優先度は、セルグループに基づいて決定されてよい。シグナリング無線ベアラ（ＳＲＢ）は、デュアルコネクティビティにおいてＭＣＧを介して送信されるので、ＭＣＧのＰＲＡＣＨ３１２は、ＳＣＧのＰＵＣＣＨ３１４より優先されてよい。他の例において、複数のチャネルの各々の複数の優先度は、各サービングセル又はセルグループに対して、物理ダウンリンク共有チャネル（ＰＤＳＣＨ）のサービス品質（ＱｏＳ）に基づいて決定されてよい。さらに他の例において、複数のチャネルの各々の複数の優先度は、ボイスオーバーインターネットプロトコル（ＶｏＩＰ）又は半永続スケジューリング（ＳＰＳ）のようなＰＤＳＣＨのサービスタイプに基づいて決定されてよい。
【００５１】
図３Ｃは、デュアルコネクティビティにおいて動作するユーザ機器（ＵＥ）３１０からの物理ランダムアクセス制御チャネル（ＰＲＡＣＨ）３１２又は物理アップリンク制御チャネル（ＰＵＣＣＨ）３１４のいずれかの送信を示す。ＰＲＡＣＨ３１２は、ＰＣｅｌｌ又はＳＣｅｌｌ３２０に送信されてよく、あるいは、ＰＵＣＣＨ３１４は、特別セル３３０に送信されてよい。複数のチャネルは、不均等な優先度を有してよく、より低い優先度のチャネルはドロップされてよく、より高い優先度のチャネルは、ＵＥ３１０から送信されてよい。複数のチャネルの各々の複数の優先度は、ＵＥ３１０において実装される優先度スキームに基づいて決定されてよい。図３Ｃに示される例において、ＰＲＡＣＨ３１２は、優先度スキームに基づいて、ＰＵＣＣＨ３１４より高い優先度を有してよい。従って、ＰＵＣＣＨ３１４はドロップされてよく、ＰＲＡＣＨ３１２のみが、ＰＣｅｌｌ又はＳＣｅｌｌ３２０に送信されてよい。従って、ＵＥ３１０が電力制限される場合、ＵＥ３１０は、より低い優先度のチャネルをドロップすることによって、チャネルの送信が所与のサブフレームの最大送信電力を順守することを保証してよい。
【００５２】
図４Ａは、デュアルコネクティビティにおいて動作するユーザ機器（ＵＥ）３１０からの物理アップリンク制御チャネル（ＰＵＣＣＨ）４１２及び物理ランダムアクセスチャネル（ＰＲＡＣＨ）４１４の並列送信を示す。ＵＥ４１０は、ＰＵＣＣＨ４１２をマスタセルグループ（ＭＣＧ）のプライマリセル（ＰＣｅｌｌ）４２０に送信してよい。ＵＥ４１０は、ＰＲＡＣＨ４１４をセカンダリセルグループ（ＳＣＧ）の特別セル又はＳＣｅｌｌ４３０に送信してよい。特別セルは、ＳＣＧの複数のセルのグループから選択されてよい。一例において、ＵＥ４１０は、ＰＵＣＣＨ４１２及びＰＲＡＣＨ４１４の両方を、同じサブフレームにおいて、それぞれＰＣｅｌｌ４２０及び特別セル又はＳＣｅｌｌ４３０に送信してよい。
【００５３】
一例において、ＰＵＣＣＨ４１２及びＰＲＡＣＨ４１４の両方を同じサブフレームにおいて送信するための合計送信電力は、最大送信電力（Ｐｃｍａｘ）より大きくてよい。最大送信電力は、ＵＥ４１０が所与のサブフレームにおいて利用可能な電力量における制限を規定してよい。ＵＥ４１０が複数のチャネルを同じサブフレームにおいて送信する場合に、ＵＥ４１０は、合計送信電力を最大送信電力より小さくなるように低減してよい。ＵＥ４１０は、電力スケーリングを実行することによって、合計送信電力を低減してよい。換言すると、ＰＵＣＣＨ４１２及びＰＲＡＣＨ４１４の両方を送信するための合計送信電力が最大送信電力より小さくなるように、ＵＥ４１０は、電力スケーリングを用いて、ＰＵＣＣＨ４１２又はＰＲＡＣＨ４１４の送信に関連する送信電力を減少させてよい。
【００５４】
１つの構成において、ＵＥ４１０は、ＰＵＣＣＨ４１２及びＰＲＡＣＨ４１４に対する均等な電力スケーリングを実装してよい。換言すると、複数のチャネルは等しい優先度を有し、従って、均等にスケールダウンされ、次に同じサブフレームにおいて送信される。ＰＵＣＣＨ４１２及びＰＲＡＣＨ４１４は、ＵＥ４１０において実装される優先度スキームに従って、等しい優先度を有してよい。非限定的な例として、ＵＥ４１０は、ＰＵＣＣＨ４１２の送信電力を１５％減少させてよい。さらに、ＵＥ４１０は、ＰＲＡＣＨ４１４の送信電力を１５％減少させてよい。ＰＵＣＣＨ及びＰＲＡＣＨの均等な電力スケーリングの結果、合計送信電力が最大送信電力（Ｐｃｍａｘ）より小さくなった場合に、ＵＥ４１０は、ＰＵＣＣＨ４１２及びＰＲＡＣＨ４１４の両方を（各々、送信電力を１５％減少させて）同じサブフレームにおいて送信してよい。本構成において、ＰＵＣＣＨ４１２及びＰＲＡＣＨ４１４の両方は、ＵＥ４１０に実装される優先度スキームに基づいて、同じ優先度を有するものとみなされる。電力スケーリングは、ＰＵＣＣＨ及びＰＲＡＣＨを含む複数のサブフレームに、又は複数のサブフレームにおける重複部分（例えば、重複する記号）のみに適用されてよい。従って、ＵＥ４１０が電力制限される場合でさえ、ＵＥ４１０は、電力スケーリングを用いることによって、ＰＵＣＣＨ及びＰＲＡＣＨを同時に（すなわち、同じサブフレームにおいて）送信してよい。
【００５５】
図４Ｂは、デュアルコネクティビティにおいて動作するユーザ機器（ＵＥ）４１０からの物理アップリンク制御チャネル（ＰＵＣＣＨ）４１２及び物理ランダムアクセスチャネル（ＰＲＡＣＨ）４１４の並列送信を示す。ＰＵＣＣＨ４１２は、ＰＣｅｌｌ４２０に送信されてよく、ＰＲＡＣＨ４１４は、特別セル又はＳＣｅｌｌ４３０に送信されてよい。ＵＥ４１０は、ＰＵＣＣＨ４１２及びＰＲＡＣＨ４１４に対する不均等な電力スケーリングを実装してよい。換言すると、複数のチャネルは不均等な優先度を有し、従って、不均等にスケールダウンされ、次に同じサブフレームにおいて送信される。本構成において、異なる重みで重みづけされた電力スケーリング技術は、ＵＥ４１０から送信される様々なチャネルに適用されてよい。ＰＵＣＣＨ４１２及びＰＲＡＣＨ４１４の両方を同じサブフレームにおいて同時に送信するための合計送信電力が、所与のサブフレームに対して、ＵＥ４１０に許容される最大送信電力（Ｐｃｍａｘ）より小さくなるように、ＵＥ４１０は、不均等な電力スケーリングを適用してよい。
【００５６】
１つの構成において、ＰＲＡＣＨ４１４は、ＰＵＣＣＨ４１２と比較してより高い優先度を有する。従って、ＰＲＡＣＨ４１４及びＰＵＣＣＨ４１２の両方を送信するための合計送信電力が最大送信電力（Ｐｃｍａｘ）より小さくなるように、ＰＲＡＣＨ４１４はスケールダウンされないが、ＰＵＣＣＨ４１２はスケールダウンされてよい。
【００５７】
ＰＵＣＣＨ４１２及びＰＵＣＣＨ４１４は、ＵＥ４１０において実装される優先度スキームに従って、不均等な優先度を有してよい。非限定的な例として、ＵＥ４１０は、ＰＵＣＣＨ４１２の送信電力を３０％減少させてよく、一方で、ＰＲＡＣＨ４１４の送信電力は、減少しない。２つのチャネルの不均等な電力スケーリングの結果、合計送信電力が最大送信電力（Ｐｃｍａｘ）より小さくなった場合に、ＵＥ４１０は、ＰＵＣＣＨ４１２及びＰＲＡＣＨ４１４の両方を同じサブフレームにおいて送信してよい。本構成において、ＰＵＣＣＨ４１２及びＰＲＡＣＨ４１４は、ＵＥ４１０において実装される優先度スキームに基づいて、同じ優先度を有さないものとみなされる。ＰＵＣＣＨ４１２の送信電力が３０％減少し、ＰＲＡＣＨ４１４の送信電力が減少しないので、ＰＵＣＣＨ４１４は、ＰＲＡＣＨ４１２より低い優先度を有する。換言すると、より低い優先度は、送信電力の減少に相当する。電力スケーリングは、複数のチャネルを含む複数のサブフレームに、又は複数のサブフレームにおける重複部分（例えば、重複する記号）のみに適用されてよい。従って、ＵＥ４１０が電力制限される場合でさえ、ＵＥ４１０は、電力スケーリングを用いることによって、２つのチャネルを同時に（すなわち、同じサブフレームにおいて）送信してよい。
【００５８】
図４Ｃは、デュアルコネクティビティにおいて動作するユーザ機器（ＵＥ）４１０からの物理アップリンク制御チャネル（ＰＵＣＣＨ）４１２又は物理ランダムアクセス制御チャネル（ＰＲＡＣＨ）４１４のいずれかの送信を示す。ＰＵＣＣＨ４１２は、ＰＣｅｌｌ４２０に送信されてよく、ＰＲＡＣＨ４１４は、特別セル又はＳＣｅｌｌ４３０に送信されてよい。複数のチャネルは、不均等な優先度を有してよく、より低い優先度のチャネルはドロップされてよく、より高い優先度のチャネルは、ＵＥ４１０から送信されてよい。複数のチャネルの各々の複数の優先度は、ＵＥ４１０において実装される優先度スキームに基づいて決定されてよい。図４Ｃに示される例において、ＰＲＡＣＨ４１２は、優先度スキームに基づいて、ＰＵＣＣＨ４１４より高い優先度を有してよい。従って、ＰＵＣＣＨ４１４はドロップされてよく、ＰＲＡＣＨ４１２のみが、ＰＣｅｌｌ４２０に送信されてよい。従って、ＵＥ４１０が電力制限される場合、ＵＥ４１０は、より低い優先度のチャネルをドロップすることによって、チャネルの送信が所与のサブフレームの最大送信電力を順守することを保証してよい。
【００５９】
他の例は、図５のフローチャートに示されるように、デュアルコネクティビティ用に構成されるユーザ機器（ＵＥ）の機能性５００を提供する。機能性は、方法として実装されてよく、又は、機能性は、機械上で複数の命令として実行されてよい。ここで、複数の命令は、少なくとも１つのコンピュータ可読媒体又は１つの非一時的機械可読記憶媒体に含まれる。ＵＥの１つ又は複数のプロセッサは、ブロック５１０に示されるように、第１のアップリンク制御情報（ＵＣＩ）を含む第１の物理チャネルを特定するように構成されてよい。１つ又は複数のプロセッサは、ブロック５２０に示されるように、第２のＵＣＩを含む第２の物理チャネルを特定するように構成されてよい。１つ又は複数のプロセッサは、ブロック５３０に示されるように、第１の物理チャネルの優先度及び第２の物理チャネルの優先度を選択するように構成されてよい。ブロック５４０に示されるように、１つ又は複数のプロセッサは、ＵＥの合計送信電力が、一の期間に特定値を超え得る場合に、電力スケーリングを第１の物理チャネル送信又は第２の物理チャネル送信に適用するように構成されてよく、ＵＥは、第１のＵＣＩのタイプ及び第２のＵＣＩのタイプに応じて、第１の物理チャネルの優先度が第２の物理チャネルの優先度より高い場合に、第２の物理チャネルの送信電力をスケーリングするように構成される、又は、ＵＥは、第１のＵＣＩのタイプ及び第２のＵＣＩのタイプに応じて、第１の物理チャネルの優先度が第２の物理チャネルの優先度より低い場合に、第１の物理チャネルの送信電力をスケーリングするように構成される。
【００６０】
一例において、１つ又は複数のプロセッサは、マスタセルグループ（ＭＣＧ）に属するサービングセルのアップリンクにおいて第１の物理チャネル送信を実行するようにさらに構成されてよい。他の例において、１つ又は複数のプロセッサは、セカンダリセルグループ（ＳＣＧ）に属するサービングセルのアップリンクにおいて前記第２の物理チャネル送信を実行するようにさらに構成されてよい。さらに他の例において、１つ又は複数のプロセッサは、第１のＵＣＩがハイブリッド自動再送要求確認（ＨＡＲＱ−ＡＣＫ）又はスケジューリング要求（ＳＲ）を含み、かつ、第２のＵＣＩがチャネル状態情報（ＣＳＩ）を含む場合に、第１のＵＣＩを含む第１の物理チャネルの優先度が第２のＵＣＩを含む第２の物理チャネルの優先度より高いと決定するようにさらに構成されてよい。
【００６１】
一例において、１つ又は複数のプロセッサは、第１のＵＣＩがチャネル状態情報（ＣＳＩ）を含み、かつ、第２のＵＣＩがハイブリッド自動再送要求確認（ＨＡＲＱ−ＡＣＫ）又はスケジューリング要求（ＳＲ）を含む場合に、第１のＵＣＩを含む第１の物理チャネルの優先度が第２のＵＣＩを含む第２の物理チャネルの優先度より低いと決定するようにさらに構成されてよい。他の例において、１つ又は複数のプロセッサは、第１のＵＣＩを含む第１の物理チャネルの優先度が第２のＵＣＩを含む第２の物理チャネルの優先度より高いと決定するようにさらに構成されてよく、第１のＵＣＩ及び第２のＵＣＩの両方は、ハイブリッド自動再送要求確認（ＨＡＲＱ−ＡＣＫ）を含む、又は、第１のＵＣＩ及び第２のＵＣＩの両方は、スケジューリング要求（ＳＲ）を含む、又は、第１のＵＣＩ及び第２のＵＣＩの両方は、チャネル状態情報（ＣＳＩ）を含む。
【００６２】
一例において、１つ又は複数のプロセッサは、第１のＵＣＩを含む第１の物理チャネルの優先度が第２のＵＣＩを含む第２の物理チャネルの優先度より高いと決定するようにさらに構成されてよく、第１のＵＣＩは、ハイブリッド自動再送要求確認（ＨＡＲＱ−ＡＣＫ）を含み、第２のＵＣＩは、スケジューリング要求（ＳＲ）を含む、又は、第１のＵＣＩはＳＲを含み、第２のＵＣＩはＨＡＲＱ−ＡＣＫを含む。他の例において、第１の物理チャネル及び第２の物理チャネルの合計送信電力が重複期間において特定値を超えないように、特定値は、最大送信電力（ＰＣＭＡＸ）として構成される。さらに他の例において、第１の物理チャネルは、第１の物理アップリンク制御チャネル（ＰＵＣＣＨ）又は第１の物理アップリンク共有チャネル（ＰＵＳＣＨ）であり、第２の物理チャネルは、第２のＰＵＣＣＨ又は第２のＰＵＳＣＨである。さらに、ＵＥは、アンテナ、タッチセンシティブディスプレイスクリーン、スピーカ、マイクロフォン、グラフィックプロセッサ、アプリケーションプロセッサ、内部メモリ、又は不揮発性メモリポートを含んでよい。
【００６３】
他の例は、図６のフローチャートに示されるように、デュアルコネクティビティ用に構成されるユーザ機器（ＵＥ）の機能性６００を提供する。機能性は、方法として実装されてよく、又は、機能性は、機械上で複数の命令として実行されてよい。ここで、複数の命令は、少なくとも１つのコンピュータ可読媒体又は１つの非一時的機械可読記憶媒体に含まれる。ＵＥの１つ又は複数のプロセッサは、ブロック６１０に示されるように、マスタセルグループ（ＭＣＧ）の物理ランダムアクセスチャネル（ＰＲＡＣＨ）を特定するように構成されてよい。１つ又は複数のプロセッサは、ブロック６２０に示されるように、セカンダリセルグループ（ＳＣＧ）の物理アップリンク制御チャネル（ＰＵＣＣＨ）を特定するように構成されてよい。１つ又は複数のプロセッサは、ブロック６３０に示されるように、ＰＲＡＣＨの優先度がＰＵＣＣＨの優先度より高いと決定するように構成されてよい。１つ又は複数のプロセッサは、ブロック６４０に示されるように、ＵＥの合計送信電力が、一の期間に特定値を超え得る場合に、電力スケーリングを複数のＰＵＣＣＨ送信に適用するように構成されてよい。
【００６４】
一例において、１つ又は複数のプロセッサは、ＭＣＧのプライマリセル（ＰＣｅｌｌ）又はセカンダリセル（ＳＣｅｌｌ）においてＰＲＡＣＨを送信する、又は、ＳＣＧのセカンダリセルにおいてＰＲＡＣＨを送信するようにさらに構成されてよい。他の例において、１つ又は複数のプロセッサは、ＭＣＧのプライマリセル（ＰＣｅｌｌ）においてＰＵＣＣＨを送信する、又は、ＳＣＧの特別セカンダリセル（ＳＣｅｌｌ）においてＰＵＣＣＨを送信するようにさらに構成されてよい。さらに他の例において、ＰＲＡＣＨ及びＰＵＣＣＨの合計送信電力が重複期間において特定値を超えないように、特定値は、最大送信電力（ＰＣＭＡＸ）として構成されてよい。
【００６５】
他の例は、図７のフローチャートに示されるように、デュアルコネクティビティ用に構成されるユーザ機器（ＵＥ）の機能性７００を提供する。機能性は、方法として実装されてよく、又は、機能性は、機械上で複数の命令として実行されてよい。ここで、複数の命令は、少なくとも１つのコンピュータ可読媒体又は１つの非一時的機械可読記憶媒体に含まれる。ＵＥの１つ又は複数のプロセッサは、ブロック７１０に示されるように、マスタセルグループ（ＭＣＧ）の物理ランダムアクセスチャネル（ＰＲＡＣＨ）を特定するように構成されてよい。１つ又は複数のプロセッサは、ブロック７２０に示されるように、セカンダリセルグループ（ＳＣＧ）の物理アップリンク制御チャネル（ＰＵＣＣＨ）を特定するように構成されてよい。１つ又は複数のプロセッサは、ブロック７３０に示されるように、ＰＲＡＣＨの優先度及びＰＵＣＣＨの優先度を選択するように構成されてよい。１つ又は複数のプロセッサは、ブロック７４０に示されるように、ＰＲＡＣＨ及びＰＵＣＣＨが重複期間に送信されるようにスケジューリングされ、かつ、ＵＥの合計送信電力が特定値を超え得る場合に、ＰＲＡＣＨ又はＰＵＣＣＨの１つをドロップするように構成されてよく、ＰＲＡＣＨ又はＰＵＣＣＨは、ＰＵＣＣＨの優先度に対するＰＲＡＣＨの優先度に基づいてドロップされ、残りのＰＲＡＣＨ又はＰＵＣＣＨは、ＵＥから送信される。
【００６６】
一例において、１つ又は複数のプロセッサは、ＰＲＡＣＨをＭＣＧのプライマリセル（ＰＣｅｌｌ）又はセカンダリセル（ＳＣｅｌｌ）に送信する、又は、ＰＵＣＣＨをＳＣＧの特別セカンダリセル（ＳＣｅｌｌ）に送信するようにさらに構成されてよい。他の例において、１つ又は複数のプロセッサは、ＰＲＡＣＨの優先度がＰＵＣＣＨの優先度より低い場合に、ＰＲＡＣＨをドロップする、又は、ＰＲＡＣＨの優先度がＰＵＣＣＨの優先度より大きい場合に、ＰＵＣＣＨをドロップするようにさらに構成されてよい。さらに他の例において、ＰＲＡＣＨ及びＰＵＣＣＨの合計送信電力が重複期間において特定値を超えないように、特定値は、最大送信電力（ＰＣＭＡＸ）として構成されてよい。
【００６７】
他の例は、図８のフローチャートに示されるように、デュアルコネクティビティ用に構成されるユーザ機器（ＵＥ）の機能性８００を提供する。機能性は、方法として実装されてよく、又は、機能性は、機械上で複数の命令として実行されてよい。ここで、複数の命令は、少なくとも１つのコンピュータ可読媒体又は１つの非一時的機械可読記憶媒体に含まれる。ＵＥの１つ又は複数のプロセッサは、ブロック８１０に示されるように、第１のアップリンク制御情報（ＵＣＩ）を含む第１の物理アップリンク制御チャネル（ＰＵＣＣＨ）を特定するように構成されてよい。１つ又は複数のプロセッサは、ブロック８２０に示されるように、第２のＵＣＩを含む第２の物理アップリンク制御チャネル（ＰＵＣＣＨ）を特定するように構成されてよい。１つ又は複数のプロセッサは、ブロック８３０に示されるように、第１のＰＵＣＣＨの優先度及び第２のＰＵＣＣＨの優先度を選択するように構成されてよい。１つ又は複数のプロセッサは、ブロック８４０に示されるように、ＵＥの合計送信電力が、一の期間に特定値を超え得る場合に、電力スケーリングを第１のＰＵＣＣＨ及び第２のＰＵＣＣＨに適用し、第１のＰＵＣＣＨ及び第２のＰＵＣＣＨが重複期間においてＵＥから送信可能となるように構成されてよく、第１のＰＵＣＣＨの優先度が第２のＰＵＣＣＨの優先度と同じ場合に、第１のＰＵＣＣＨの送信電力及び第２のＰＵＣＣＨの送信電力は、均等にスケーリングされる。
【００６８】
一例において、１つ又は複数のプロセッサは、第１のＰＵＣＣＨをマスタセルグループ（ＭＣＧ）のプライマリセル（ＰＣｅｌｌ）に送信するようにさらに構成されてよい。他の例において、１つ又は複数のプロセッサは、第２のＰＵＣＣＨをセカンダリセルグループ（ＳＣＧ）の特別セカンダリセル（ＳＣｅｌｌ）に送信するようにさらに構成されてよい。さらに他の例において、第１のＵＣＩ又は第２のＵＣＩの少なくとも１つは、ハイブリッド自動再送要求確認（ＨＡＲＱ−ＡＣＫ）又はスケジューリング要求（ＳＲ）を含む。１つの構成において、第１のＵＣＩ又は第２のＵＣＩの少なくとも１つは、チャネル状態情報（ＣＳＩ）を含む。他の構成において、第１のＰＵＣＣＨ及び第２のＰＵＣＣＨの合計送信電力が重複期間において特定値を超えないように、特定値は、最大送信電力（ＰＣＭＡＸ）として構成される。
【００６９】
図９は、ユーザ機器（ＵＥ）、移動局（ＭＳ）、移動無線デバイス、移動通信デバイス、タブレット、ハンドセット、又は他のタイプの無線デバイスのような無線デバイスの例示的な図を提供する。無線デバイスは、基地局（ＢＳ）、進化型ノードＢ（ｅＮＢ）、ベースバンドユニット（ＢＢＵ）、リモート無線ヘッド（ＲＲＨ）、リモート無線機器（ＲＲＥ）、中継局（ＲＳ）、無線機器（ＲＥ）、リモート無線ユニット（ＲＲＵ）、中央処理モジュール（ＣＰＭ）、又は他のタイプの無線ワイドエリアネットワーク（ＷＷＡＮ）アクセスポイントのようなノード又は送信局と通信を行うように構成される１つ又は複数のアンテナを含んでよい。無線デバイスは、３ＧＰＰ  ＬＴＥ、ＷｉＭＡＸ、高速パケットアクセス（ＨＳＰＡ）、Ｂｌｕｅｔｏｏｔｈ（登録商標）、及びＷｉＦｉを含む少なくとも１つの無線通信規格を用いて通信を行うように構成されてよい。無線デバイスは、各無線通信規格に対して別個の複数のアンテナ、又は複数の無線通信規格に対して複数の共有アンテナを用いて通信を行ってよい。無線デバイスは、無線ローカルエリアネットワーク（ＷＬＡＮ）、無線パーソナルエリアネットワーク（ＷＰＡＮ）、及び／又はＷＷＡＮにおいて通信を行ってよい。
【００７０】
図９は、無線デバイスからのオーディオ入力及び出力のために利用可能なマイクロフォン及び１つ又は複数のスピーカの図をさらに提供する。ディスプレイスクリーンは、液晶ディスプレイ（ＬＣＤ）スクリーン、又は有機発光ダイオード（ＯＬＥＤ）ディスプレイのような他のタイプのディスプレイスクリーンであってよい。ディスプレイスクリーンは、タッチスクリーンとして構成されてよい。タッチスクリーンは、静電容量方式、抵抗方式、又は他のタイプのタッチスクリーン技術を用いてよい。アプリケーションプロセッサ及びグラフィックプロセッサは、処理及び表示機能を提供すべく、内部メモリに結合されてよい。不揮発性メモリポートは、データ入力／出力の選択肢をユーザに提供すべく、さらに用いられてよい。不揮発性メモリポートは、無線デバイスの複数のメモリ機能を拡張すべく、さらに用いられてよい。キーボードは、追加的なユーザ入力を提供すべく、無線デバイスと一体化され、又は無線デバイスに無線接続されてよい。仮想キーボードは、タッチスクリーンを用いてさらに提供されてよい。
【００７１】
様々な技術又は特定の態様もしくはそれらの一部は、フロッピ（登録商標）ディスク、コンパクトディスクリードオンリメモリ（ＣＤ−ＲＯＭ）、ハードドライブ、非一時的コンピュータ可読記憶媒体、又は任意の他の機械可読記憶媒体のような有形媒体において具現化されるプログラムコード（すなわち、複数の命令）の形をとってよい。プログラムコードがコンピュータのような機械にロードされ、これによって実行された場合に、当該機械は、その様々な技術を実施するための装置になる。回路は、ハードウェア、ファームウェア、プログラムコード、実行可能なコード、複数のコンピュータ命令、及び／又はソフトウェアを含んでよい。非一時的コンピュータ可読記憶媒体は、信号を含まないコンピュータ可読記憶媒体であってよい。プログラムコードをプログラマブルコンピュータにおいて実行する場合に、コンピューティングデバイスは、プロセッサ、プロセッサによって可読な記憶媒体（揮発性メモリ及び不揮発性メモリ及び／又はストレージ要素を含む）、少なくとも１つの入力デバイス、ならびに少なくとも１つの出力デバイスを含んでよい。揮発性メモリ及び不揮発性メモリ及び／又はストレージ要素は、ランダムアクセスメモリ（ＲＡＭ）、消去可能プログラマブルリードオンリメモリ（ＥＰＲＯＭ）、フラッシュドライブ、光ドライブ、磁気ハードドライブ、ソリッドステートドライブ、又は電子データを格納するための他の媒体であってよい。ノード及び無線デバイスは、トランシーバモジュール（すなわちトランシーバ）、カウンタモジュール（すなわちカウンタ）、処理モジュール（すなわちプロセッサ）、及び／又はクロックモジュール（すなわちクロック）もしくはタイマモジュール（すなわちタイマ）をさらに含んでよい。本明細書に説明される様々な技術を実装又は利用可能な１つ又は複数のプログラムは、アプリケーションプログラミングインタフェース（ＡＰＩ）、再利用可能制御等を用いてよい。このようなプログラムは、コンピュータシステムと通信を行うべく、高水準の手続き型又はオブジェクト指向プログラミング言語で実装されてよい。しかしながら、プログラムは、所望の場合には、アセンブリ又は機械言語で実装されてよい。いずれの場合も、言語は、コンパイラ型又はインタプリタ型言語であってよく、複数のハードウェア実装と組み合わせられてよい。
【００７２】
本明細書で用いられるように、プロセッサという用語は、汎用用途向けプロセッサ、ＶＬＳＩ、ＦＰＧＡ、もしくは他のタイプの特定用途向けプロセッサのような特定用途向けプロセッサ、ならびに無線通信を送信、受信、及び処理するトランシーバにおいて用いられるベースバンドプロセッサを含んでよい。
【００７３】
本明細書において説明される複数の機能ユニットの多くは、それらの実装の独立性をより具体的に強調すべくモジュールとして示されていることを理解されたい。例えば、モジュールは、カスタム超大規模集積（ＶＬＳＩ）回路又はゲートアレイ、ロジックチップ、トランジスタ、又は他の別個のコンポーネントのような既製の半導体を備えるハードウェア回路として実装されてよい。モジュールは、フィールドプログラマブルゲートアレイ、プログラマブルアレイロジック、プログラマブルロジックデバイス等のようなプログラマブルハードウェアデバイスにおいて実装されてもよい。
【００７４】
複数のモジュールは、様々なタイプのプロセッサによって実行されるソフトウェアに実装されてもよい。実行可能なコードの特定されたモジュールは、例えば、複数のコンピュータ命令の１つ又は複数の物理又は論理ブロックを備えてよく、これらは例えば、オブジェクト、手続き、又は関数として構成されてよい。それでもなお、特定されたモジュールの複数の実行ファイルは物理的に共に配置される必要はないが、論理的に共に結合される場合にモジュールを備え、モジュールの上述された目的を達成する、異なる位置に格納された全く異なる複数の命令を備えてよい。
【００７５】
実際、実行可能なコードのモジュールは、単一の命令又は多数の命令であってよく、複数の異なるプログラムの中で、かつ、いくつかのメモリデバイスにわたって、いくつかの異なるコードセグメントに分散されることさえ可能である。同様に、動作データは、本明細書において、複数のモジュール内に特定及び例示されてよく、任意の適切な形で具現化され、任意の適切なタイプのデータ構造内で構成されてよい。動作データは、単一のデータセットとして収集されてよく、又は複数の異なるストレージデバイスも含め、複数の異なる位置にわたって分散させられてよく、システムもしくはネットワークにおいて、少なくとも部分的に、単に電子信号として存在してよい。複数のモジュールは、所望の機能を実行するように動作可能なエージェントを含み、受動的又は能動的であってよい。
【００７６】
本明細書全体にわたって、「例」又は「例示的な」という記載は、その例に関連して説明される特定の特徴、構造、又は特性が、本発明の少なくとも１つの実施形態に含まれることを意味する。つまり、本明細書全体の様々な箇所に登場する「例において」という複数の語句又は「例示的な」という語は、必ずしも全てが同じ実施形態を指す訳ではない。
【００７７】
本明細書において用いられるように、複数の項目、構造的要素、構成要素、及び／又は材料は、便宜上、共通のリストで提示されてよい。しかしながら、これらのリストは、あたかもリストの各部材が別個かつ固有の部材として個別に特定されるものと解釈されるべきである。つまり、このようなリストの個々の部材は、単に、反対の示唆なくそれらが共通のグループに提示されたことに基づいて、同じリストの任意の他の部材の事実上の均等物であると解釈されるべきではない。さらに、本発明の様々な実施形態及び例は、本明細書において、それらの様々なコンポーネントの代替例と共に参照されてよい。このような実施形態、例、及び代替例は、互いの事実上の均等物と解釈されるべきではないが、本発明の別個かつ自律的な表現とみなされるべきであることを理解されたい。
【００７８】
さらに、説明された複数の特徴、構造、又は特性は、１つ又は複数の実施形態において、任意の適切な態様で組み合わせられてよい。以下の説明において、本発明の複数の実施形態を十分に理解せしめるべく、レイアウト例、距離、ネットワークの例等のような多数の具体的な詳細が提供される。しかしながら、当業者であれば、具体的な詳細の１つ又は複数がなくても、又は他の方法、コンポーネント、レイアウト等によってでも、本発明が実施可能であることを認識するであろう。複数の他の例において、周知の構造、材料、又は動作は、本発明の態様が不明瞭となることを防止すべく、詳細には例示又は説明されない。
【００７９】
前述された複数の例は１つ又は複数の特定の用途における本発明の原理を例示するものであり、発明力を発揮することなく、かつ、本発明の原理及び概念から逸脱することなく、実装の形、用及び詳細に多数の変更がなされ得ることは、当業者にとって明らかであろう。従って、本発明は、以下説明される特許請求の範囲を除いて、限定されることが意図されるものではない。
【図１Ａ】
2018137821.tif 000003
【図１Ｂ】
2018137821.tif 000004
【図２Ａ】
2018137821.tif 000005
【図２Ｂ】
2018137821.tif 000006
【図２Ｃ】
2018137821.tif 000007
【図３Ａ】
2018137821.tif 000008
【図３Ｂ】
2018137821.tif 000009
【図３Ｃ】
2018137821.tif 000010
【図４Ａ】
2018137821.tif 000011
【図４Ｂ】
2018137821.tif 000012
【図４Ｃ】
2018137821.tif 000013
【図５】
2018137821.tif 000014
【図６】
2018137821.tif 000015
【図７】
2018137821.tif 000016
【図８】
2018137821.tif 000017
【図９】
2018137821.tif 000018
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
デュアルコネクティビティ用に構成されたユーザ機器（ＵＥ）の装置であって、前記装置は、
メモリと、
１又は複数のプロセッサと、を備え、
前記１又は複数のプロセッサは、
前記ＵＥにて、第１のアップリンクコントロール情報（第１のＵＣＩ）を含む第１の物理チャネル送信を処理し、
前記ＵＥにて、第２のＵＣＩを含む第２の物理チャネル送信を処理し、
前記ＵＥからの前記第１の物理チャネル送信及び前記第２の物理チャネル送信の合計送信電力が期間内に最大送信電力（ＰＣＭＡＸ）を超える場合に、前記ＵＥにて、電力スケーリングを前記第１の物理チャネル送信又は前記第２の物理チャネル送信に適用し、
前記第１のＵＣＩがハイブリッド自動リピートリクエスト肯定応答（ＨＡＲＱ−ＡＣＫ）又はスケジューリング要求（ＳＲ）を含まず、且つ前記第２のＵＣＩがＨＡＲＱ−ＡＣＫ又はＳＲを含む場合に、前記ＵＥは、前記第１の物理チャネル送信の送信電力をスケールし、又は
前記第１のＵＣＩが、ハイブリッド自動リピートリクエスト肯定応答（ＨＡＲＱ−ＡＣＫ）又はスケジューリング要求（ＳＲ）を含み、且つ前記第２のＵＣＩがＨＡＲＱ−ＡＣＫ又はＳＲを含まない場合に、前記ＵＥは、前記第２の物理チャネル送信の送信電力をスケールする、装置。
【請求項２】
前記１又は複数のプロセッサは、さらに、マスタセルグループ（ＭＣＧ）に属するサービングセルに対する第１の物理チャネルを用いて、アップリンクにおける前記第１の物理チャネル送信を実行する、請求項１に記載の装置。
【請求項３】
前記１又は複数のプロセッサは、さらに、セカンダリセルグループ（ＳＣＧ）に属するサービングセルに対する第２の物理チャネルを用いて、アップリンクにおける前記第２の物理チャネル送信を実行する、請求項１又は２に記載の装置。
【請求項４】
前記１又は複数のプロセッサは、前記第１のＵＣＩがスケジューリング要求（ＳＲ）を含み、且つ前記第２のＵＣＩがハイブリッド自動リピートリクエスト肯定応答（ＨＡＲＱ−ＡＣＫ）を含む場合に、前記第１の物理チャネル送信の送信電力をスケールする、請求項１から３のいずれか一項に記載の装置。
【請求項５】
前記１又は複数のプロセッサは、前記第１のＵＣＩがハイブリッド自動リピートリクエスト肯定応答（ＨＡＲＱ−ＡＣＫ）を含み、且つ前記第２のＵＣＩがスケジューリング要求（ＳＲ）を含む場合に、前記第２の物理チャネル送信の送信電力をスケールする、請求項１から４のいずれか一項に記載の装置。
【請求項６】
前記１又は複数のプロセッサは、前記第１のＵＣＩ及び前記第２のＵＣＩが、ともに、ハイブリッド自動リピートリクエスト肯定応答（ＨＡＲＱ−ＡＣＫ）を含み、また前記第１の物理チャネル送信がセカンダリセルグループ（ＳＣＧ）に対するものであり、且つ前記第２の物理チャネル送信がマスタセルグループ（ＭＣＧ）に対するものである場合に、前記第１の物理チャネル送信の送信電力をスケールする、請求項１から５のいずれか一項に記載の装置。
【請求項７】
前記１又は複数のプロセッサは、前記第１のＵＣＩ及び前記第２のＵＣＩが、ともに、スケジューリング要求（ＳＲ）を含み、また前記第１の物理チャネル送信がセカンダリセルグループ（ＳＣＧ）に対するものであり、且つ前記第２の物理チャネル送信がマスタセルグループ（ＭＣＧ）に対するものである場合に、前記第１の物理チャネル送信の送信電力をスケールする、請求項１から６のいずれか一項に記載の装置。
【請求項８】
前記ＵＥからの前記第１の物理チャネル送信及び前記第２の物理チャネル送信の前記合計送信電力が、重複期間上で、前記最大送信電力（ＰＣＭＡＸ）を超えない、請求項１から７のいずれか一項に記載の装置。
【請求項９】
前記第１の物理チャネル送信は、第１の物理アップリンク制御チャネル（ＰＵＣＣＨ）又は第１の物理アップリンク共通チャネル（ＰＵＳＣＨ）上で実行され、
前記第２の物理チャネル送信は、第２のＰＵＣＣＨ又は第２のＰＵＳＣＨ上で実行される、請求項１から８のいずれか一項に記載の装置。
【請求項１０】
前記ＵＥは、アンテナ、タッチセンシティブディスプレイ画面、スピーカ、マイク、グラフィックスプロセッサ、アプリケーションプロセッサ、内部メモリ、又は不揮発性メモリポートを含む、請求項１から９のいずれか一項に記載の装置。
【請求項１１】
デュアルコネクティビティ用に構成されたユーザ機器（ＵＥ）の装置であって、前記装置は、
メモリと、
１又は複数のプロセッサと、を備え、
前記１又は複数のプロセッサは、
前記ＵＥにて、マスタセルグループ（ＭＣＧ）に対する物理ランダムアクセスチャネル（ＰＲＡＣＨ）送信（ＰＲＡＣＨ送信）を処理し、
前記ＵＥにて、セカンダリセルグループ（ＳＣＧ）に対する物理アップリンク制御チャネル（ＰＵＣＣＨ）送信（ＰＵＣＣＨ送信）を処理し、
前記ＵＥの合計送信電力が期間内に最大送信電力（ＰＣＭＡＸ）を超える場合に、前記ＵＥにて、電力スケーリングを前記ＰＵＣＣＨ送信に適用し、電力スケーリングは、前記ＰＲＡＣＨ送信に適用されない、装置。
【請求項１２】
前記１又は複数のプロセッサは、さらに、
前記ＭＣＧのプライマリセル（ＰＣｅｌｌ）又はセカンダリセル（ＳＣｅｌｌ）上の送信に対する前記ＰＲＡＣＨをエンコードし、
前記ＳＣＧのセカンダリセル上の送信に対する前記ＰＲＡＣＨをエンコードする、請求項１１に記載の装置。
【請求項１３】
前記１又は複数のプロセッサは、さらに、
前記ＭＣＧのプライマリセル（ＰＣｅｌｌ）上の送信に対する前記ＰＵＣＣＨをエンコードし、
前記ＳＣＧの特別セカンダリセル（ＳＣｅｌｌ）上の送信に対する前記ＰＵＣＣＨをエンコードする、請求項１１又は１２に記載の装置。
【請求項１４】
前記ＰＲＡＣＨ及び前記ＰＵＣＣＨに対する前記合計送信電力は、重複期間で、前記最大送信電力（ＰＣＭＡＸ）を超えない、請求項１１から１３のいずれか一項に記載の装置。
【請求項１５】
前記ＰＲＡＣＨ送信は、前記ＭＣＧに属するサービングセルに対するＰＲＡＣＨを用いて、アップリンクにおいて実行される、請求項１１から１４のいずれか一項に記載の装置。
【請求項１６】
前記ＰＵＣＣＨ送信は、前記ＳＣＧに属するサービングセルに対するＰＵＣＣＨを用いて、アップリンクにおいて実行される、請求項１１から１５のいずれか一項に記載の装置。
【請求項１７】
前記ＵＥは、アンテナ、タッチセンシティブディスプレイ画面、スピーカ、マイク、グラフィックスプロセッサ、アプリケーションプロセッサ、内部メモリ、又は不揮発性メモリポートを含む、請求項１１から１６のいずれか一項に記載の装置。
【請求項１８】
ＵＥのプロセッサに、
マスタセルグループ（ＭＣＧ）に対する物理ランダムアクセスチャネル（ＰＲＡＣＨ）送信（ＰＲＡＣＨ送信）を処理する手順と、
セカンダリセルグループ（ＳＣＧ）に対する物理アップリンク制御チャネル（ＰＵＣＣＨ）送信（ＰＵＣＣＨ送信）を処理する手順と、
前記ＰＵＣＣＨ送信及び前記ＰＲＡＣＨ送信が、重複期間に送信されるようスケジューリングされ、前記ＵＥの合計送信電力が規定値を超える場合に、前記ＰＵＣＣＨ送信をドロップする手順であり、前記ＰＵＣＣＨ送信はドロップされ、残りのＰＲＡＣＨ送信は前記ＵＥにて実行される、手順と、
実行させるプログラム。
【請求項１９】
ＵＥのプロセッサに、
前記ＭＣＧのプライマリセル（ＰＣｅｌｌ）又はセカンダリセル（ＳＣｅｌｌ）を用いて前記ＰＲＡＣＨ送信を実行する手順と、
前記ＳＣＧの特別セカンダリセル（ＳＣｅｌｌ）を用いて前記ＰＵＣＣＨ送信を実行する手順と、
をさらに実行させる、請求項１８に記載のプログラム。
【請求項２０】
前記規定値は、最大送信電力（ＰＣＭＡＸ）として設計され、それにより、前記ＰＲＡＣＨ送信及び前記ＰＵＣＣＨ送信に対する前記合計送信電力は、重複期間上で、前記規定値を超えない、請求項１８又は１９に記載のプログラム。
【請求項２１】
請求項１８から２０のいずれか一項に記載のプログラムを格納する少なくとも１つの機械可読記憶媒体。